(57)【要約】      （修正有）【課題】用紙が給紙口と給紙ローラとの間に詰まった場合に給紙ローラを確実に停止させることができると共に、細断屑をほぼ平坦に細断屑収納室内に蓄積させることができるシュレッダを提供する。【解決手段】自動給紙装置１と細断部２と細断屑収納室３とを備える。給紙ローラ４に、給紙ローラ４を停止させる摩擦クラッチ６と給紙ローラ４の回転状態を検出する回転検出部６５とを設けた。細断屑収納室３の天壁に羽部７Ａを揺動させて細断屑を拡散させる屑拡散装置７とを設け、扉５の開閉に応じて、羽部７Ａで開口Ｇ２を遮蔽又は開放するシャッタ装置とを設けた。屑拡散装置７を羽部７Ａとこれを駆動する往復スライダクランク機構とで構成し、シャッタ装置を羽部７Ａとこれを駆動させる往復スライダてこ機構とで構成した。【選択図】図１
0003168778.tif 000002
【実用新案登録請求の範囲】
【請求項１】
トレイに載置された複数の用紙を所定枚数毎に送り出す送出部及び当該送出部から送り出された用紙を給紙口に給紙する給紙ローラを有する自動給紙装置と、上記給紙口から給紙された用紙を回転する一対のカッタで細断する細断部と、この細断部で細断されて落下する細断屑を収納する細断屑収納室とを備えるシュレッダであって、
上記給紙ローラの軸と駆動モータの回転軸との接触面の摩擦を用いて、駆動モータの動力の断続を給紙ローラに伝達する摩擦クラッチと、
上記給紙ローラの回転状態を検出する回転検出部と
を具備することを特徴とするシュレッダ。
【請求項２】
請求項１に記載のシュレッダにおいて、
上記細断屑収納室の天壁に設けられ且つ上記細断部から落下する細断屑を通過させる開口の真下に配された羽部が揺動して、落下する細断屑を拡散させる屑拡散装置を設けた、
ことを特徴とするシュレッダ。
【請求項３】
請求項２に記載のシュレッダにおいて、
上記屑拡散装置は、上記開口の下側に水平且つ周方向に回動自在に配された軸棒に固着された上記羽部と、上記軸棒の径方向に突出する第１の突出部と、駆動モータによって回動するクランクに連結したスライダによって上記第１の突出部を上記軸棒の周方向に往復動させる往復スライダクランク機構とで構成されている、
ことを特徴とするシュレッダ。
【請求項４】
請求項２又は請求項３に記載のシュレッダにおいて、
上記羽部が上記細断屑収納室の扉の開閉に応じて上記開口を遮蔽又は開放するシャッタ装置を設けた、
ことを特徴とするシュレッダ。
【請求項５】
請求項４に記載のシュレッダにおいて、
上記シャッタ装置は、上記羽部が固着された上記軸棒の径方向に突出する第２の突出部と、上記扉の開閉に応じて揺動するてこに連結したスライダによってこの第２の突出部を上記軸棒の周方向に往復動させる往復スライダクてこ機構とで構成されている、
ことを特徴とするシュレッダ。
【請求項６】
請求項１ないし請求項５のいずれかに記載のシュレッダにおいて、
上下で開口する箱本体とこの箱本体の下開口を塞ぐ底板部とで成る屑箱が、上記細断屑収納室内に配置され、
上記底板部が、上記箱本体の底部に着脱自在に取り付けられている、
ことを特徴とするシュレッダ。
【考案の詳細な説明】
【技術分野】
【０００１】
この考案は、廃棄文書等の用紙を細断して、所定の屑箱に収納するシュレッダに関するものである。
【背景技術】
【０００２】
従来、この種のシュレッダは、自動給紙装置を上部に有し、廃棄文書等の用紙をこの自動給紙装置によってシュレッダの給紙口側に送り出す。そして、用紙を、給紙口近傍に配されている給紙ローラによって細断部に送り出し、細断部のカッタによって細断する構造になっている。さらに、近年では、自動給紙装置に、一度に複数枚の廃棄用紙を送り出す機能を設けて、多量の廃棄用紙を短時間で処理することができるシュレッダも提案されている（例えば、特許文献１及び特許文献２参照）。
また、シュレッダでは、一般に、屑検出センサを有し、このセンサによって、シュレッダの細断屑収納室内に蓄積された細断屑の量を検出し、細断屑が所定量に蓄積されたときに、屑が満杯に貯まったと判断して、シュレッダの動作を停止させるようにしている（例えば、特許文献３参照）。
【先行技術文献】
【特許文献】
【０００３】
【特許文献１】特開２００７−２０４２０９号公報
【特許文献２】特開２００９−１１９３９８号公報
【特許文献３】特開平０８−３２３２３１号公報
【考案の概要】
【考案が解決しようとする課題】
【０００４】
しかし、上記した従来のシュレッダでは、次のような問題がある。
自動給紙装置を備えた上記シュレッダでは、決められた枚数以上の多数の廃棄用紙が、自動給紙装置から送り出されると、これらの廃棄用紙がシュレッダの給紙口と給紙ローラとの間に詰まることがある。従来のシュレッダでは、このような場合でも、給紙ローラが回転し続けるため、廃棄用紙がジャム状態で給紙口に詰まった状態になり、取り出すに手間を要すだけでなく、給紙ローラを破損させるおそれがあった。
また、屑センサを備えたシュレッダでは、誤検出を起こすおそれが高い。すなわち、カッタで細断された細断屑は、細断屑収納室内に蓄積されるが、カッタの真下の部分が高い山のように蓄積されるため、屑を収納する大きな空間が細断屑収納室内に未だ存在するにも拘わらず、屑センサが屑が満杯であると検出してしまうおそれがある。
【０００５】
この考案は、上述した課題を解決するためになされたもので、廃棄用紙が給紙口と給紙ローラとの間に詰まった場合に、給紙ローラを確実に停止させることができると共に、細断屑をほぼ平坦に細断屑収納室内に蓄積させることができるシュレッダを提供することを目的とする。
【課題を解決するための手段】
【０００６】
上記課題を解決するために、請求項１の考案は、トレイに載置された複数の用紙を所定枚数毎に送り出す送出部及び当該送出部から送り出された用紙を給紙口に給紙する給紙ローラを有する自動給紙装置と、給紙口から給紙された用紙を回転する一対のカッタで細断する細断部と、この細断部で細断されて落下する細断屑を収納する細断屑収納室とを備えるシュレッダであって、給紙ローラの軸と駆動モータの回転軸との接触面の摩擦を用いて、駆動モータの動力の断続を給紙ローラに伝達する摩擦クラッチと、給紙ローラの回転状態を検出する回転検出部とを具備する構成とした。
かかる構成により、複数の用紙をトレイに載置すると、所定枚数の用紙が、自動給紙装置の送出部によって送り出され、この送出部から送り出された用紙が給紙ローラによって給紙口に給紙される。そして、給紙口から給紙された用紙は、細断部の一対のカッタによって細断される。しかる後、細断部で細断された細断屑は、細断屑収納室内に収納される。
ところで、多数の用紙が、自動給紙装置の送出部から送り出されると、用紙が給紙口と給紙ローラとの間に詰まることがある。
このような場合に、給紙ローラを回転し続けると、用紙がジャム状態で給紙口に詰まった状態になり、取り出すに手間を要すだけでなく、給紙ローラを破損させるおそれがある。
この考案のシュレッダでは、摩擦クラッチを具備しているので、決められた枚数以内用紙が、自動給紙装置の送出部から送り出されている場合には、給紙ローラの軸と駆動モータの回転軸との接触面間の摩擦力以上の負荷が、給紙ローラに加わらないので、駆動モータの動力が給紙ローラに伝達して、給紙ローラは回転し続ける。しかし、逆に、用紙が給紙口と給紙ローラとの間に詰まると、給紙ローラに上記摩擦力以上の負荷が加わるので、駆動モータの回転軸が空回りし、駆動モータの動力が給紙ローラに伝達しない。この結果、給紙口と給紙ローラとの間に詰まった用紙はジャムを起こさず、ユーザは詰まった用紙を給紙口と給紙ローラとの間から容易に取り出すことができる。
このとき、給紙ローラが回転状態にあるのか停止しているのかを、回転検出部によって検出することができる。これにより、給紙ローラが用紙を搬送しているか否かを検出することができると共に、給紙ローラの停止と同時に、細断部のカッタ等の回転動作を停止させる制御が可能となる。
【０００７】
請求項２の考案は、請求項１に記載のシュレッダにおいて、細断屑収納室の天壁に設けられ且つ細断部から落下する細断屑を通過させる開口の真下に配された羽部が揺動して、落下する細断屑を拡散させる屑拡散装置を設けた構成とする。
かかる構成により、屑拡散装置の羽部の揺動によって、細断部から落下し細断屑収納室の天壁の開口を通過した細断屑を拡散させることができるので、細断屑が細断屑収納室内に山のような形で蓄積されることはない。この結果、屑センサ等による屑量の正確な検出が可能となる。
【０００８】
請求項３の考案は、請求項２に記載のシュレッダにおいて、屑拡散装置は、開口の下側に水平且つ周方向に回動自在に配された軸棒に固着された羽部と、軸棒の径方向に突出する第１の突出部と、駆動モータによって回動するクランクに連結したスライダによって第１の突出部を軸棒の周方向に往復動させる往復スライダクランク機構とで構成されている。
【０００９】
請求項４の考案は、請求項２又は請求項３に記載のシュレッダにおいて、羽部が細断屑収納室の扉の開閉に応じて開口を遮蔽又は開放するシャッタ装置を設けた構成とする。
かかる構成により、細断屑収納室の扉の開いたときに、屑拡散装置の羽部が細断屑収納室の天壁の開口を遮蔽するので、細断部のカッタ等に付いた細断屑が、扉の開動作で外部に散乱することはない。また、扉を閉じると、羽部が開口を開放するので、シュレッダ動作時に生じた細断屑がこの開口を通じて、細断屑収納室内に落下する。
【００１０】
請求項５の考案は、請求項４に記載のシュレッダにおいて、シャッタ装置は、羽部が固着された軸棒の径方向に突出する第２の突出部と、扉の開閉に応じて揺動するてこに連結したスライダによってこの第２の突出部を軸棒の周方向に往復動させる往復スライダクてこ機構とで構成されている。
【００１１】
請求項６の考案は、請求項１ないし請求項５のいずれかに記載のシュレッダにおいて、上下で開口する箱本体とこの箱本体の下開口を塞ぐ底板部とで成る屑箱が、細断屑収納室内に配置され、底板部が、箱本体の底部に着脱自在に取り付けられている構成とした。
かかる構成により、ビニール袋を屑箱内に設置することで、細断屑が、ビニール袋内に蓄積される。通常、屑箱が細断屑で満杯になっても、ビニール袋を直ちに取り出すことはせず、細断屑の山を手で圧縮して、屑箱の上部に空間を作る。そして、細断屑をこの空間に蓄積する。この圧縮と蓄積とを複数回繰り返して、細断屑が屑箱に満杯になったときに、細断屑が入っているビニール袋を屑箱から引き抜く。しかし、多量の細断屑が圧縮された状態で入っていると、ビニール袋の底部と屑箱との間が密閉状態になるため、ビニール袋を屑箱から引き抜くのに、労力と手間を要する場合が多い。しかし、この考案のシュレッダでは、屑箱を構成する底板部が、箱本体の底部に着脱自在に取り付けられているので、この底板部を箱本体から外すことで、箱本体の下側の開口が開いた状態になり、ビニール袋の底部と屑箱との間の密閉状態が解放される。この結果、圧縮された多量の細断屑が収納されたビニール袋を箱本体から容易に取り出すことができる。
【考案の効果】
【００１２】
以上詳しく説明したように、この考案のシュレッダによれば、用紙が給紙口と給紙ローラとの間に詰まると、摩擦クラッチによって給紙ローラを停止させることができるので、詰まった用紙のジャム化を防止することができ、その結果、詰まった用紙の容易な取り出しが可能となるという優れた効果がある。
【００１３】
特に、請求項２及び請求項３の考案によれば、屑拡散装置によって、細断屑をほぼ平坦に細断屑収納室内に蓄積させることができるという優れた効果がある。
【００１４】
また、請求項４及び請求項５の考案によれば、細断屑収納室の扉を開くと、シャッタ装置によって、羽部が細断屑収納室の天壁の開口を遮蔽するので、開口近傍に付着した細断屑が、扉の開動作で外部に飛散するという事態を防止することができるという効果がある。
【００１５】
さらに、請求項６の考案によれば、屑箱を構成する底板部が、箱本体の底部に着脱自在に取り付けられているので、この底板部を箱本体から外しことで、圧縮された多量の細断屑が収納されたビニール袋を箱本体から容易に取り出すことができるという効果がある。
【図面の簡単な説明】
【００１６】
【図１】この考案の一実施例に係るシュレッダを示す概略断面図である。
【図２】シュレッダの正面図である。
【図３】摩擦クラッチと回転検出部とを説明するための平面図である。
【図４】屑拡散装置とシャッタ装置とを示す平面図である。
【図５】屑拡散装置の構成と機能を説明するための概略図である。
【図６】シャッタ装置の構成と機能を説明するための概略図である。
【図７】屑箱の構成と機能とを説明するための断面図である。
【図８】実施例のシュレッダが示す作用及び効果を説明するための概略断面図である。
【図９】細断屑を屑箱から取り出す方法を説明するための断面図である。
【考案を実施するための形態】
【００１７】
以下、この考案の最良の形態について図面を参照して説明する。
【００１８】
（実施例１）
図１は、この考案の一実施例に係るシュレッダを示す概略断面図であり、図２は、シュレッダの正面図である。
この実施例のシュレッダは、図１に示すように、自動給紙装置１と細断部２と細断屑収納室３とを備えている。
【００１９】
自動給紙装置１は、複数の廃棄用の用紙を、所定枚数毎、下取り方式によって給紙口Ｇ１に給紙する装置であり、筐体１００の上部に設けられている。
具体的には、送出部１１が、給紙口Ｇ１に向かって傾斜したトレイ１０の上部下側に配設され、給紙ローラ４が、トレイ１０の下部下側で且つ給紙口Ｇ１の近傍に配設されている。
送出部１１は、駆動モータ１１ａの動力をベルト１１ｄを通じてカム１１ｂと搬送ローラ１１ｃとに伝達する部分である。これにより、カム１１ｂがトレイ１０に載置された複数の用紙Ｐの尻を押して、用紙Ｐを所定枚数毎に送り出し、搬送ローラ１１ｃがこれらの用紙Ｐを給紙口Ｇ１側に搬送する。
給紙ローラ４は、送出部１１によって分離板１２の下側に送り出された所定枚数の用紙Ｐを給紙口Ｇ１に強制的に送り出すローラである。
【００２０】
細断部２は、一対のカッタ２１，２２を有し、給紙口Ｇ１から給紙された用紙Ｐを、互いに回転するカッタ２１，２２によって細断する部分である。
カッタ２１，２２は、駆動モータ２０の動力によって回転させられる。具体的には、チェーン２４が、駆動モータ２０のスプロケット２０ａと、給紙ローラ４のスプロケット４ａと、カッタ２１，２２を回転させるスプロケット２３とに巻き付けられている。これにより、駆動モータ２０の動力が、チェーン２４を通じて、給紙ローラ４とカッタ２１，２２とに伝達される。
また、カッタ２１，２２の下側には、磁石２５が設けられ、ホッチキス等の金属を吸着するようになっている。
【００２１】
細断屑収納室３は、細断部２で細断されて落下する細断屑を収納するための室である。
この細断屑収納室３は、正面に扉５を有し、内部に屑箱９を収納している。
【００２２】
このような構成のシュレッダには、さらに、摩擦クラッチ６と、回転検出部６５とが設けられている。
図３は、摩擦クラッチ６と回転検出部６５とを説明するための平面図である。
摩擦クラッチ６は、給紙ローラ４の回転を停止させるための装置である。
具体的には、図３に示すように、軸４０が、筐体１００の側板１０１，１０２に回動自在に支持され、給紙ローラ４が、この軸４０に取り付けられている。軸４０は、その右側端部を側板１０１から外部に突出させており、摩擦クラッチ６の一方のフランジ６１が軸４０の突出端部に固着されている。そして、このフランジ６１の外側に位置する軸４０の突出端部には、スプロケット４ａが回動自在に取り付けられ、チェーン２４がこのスプロケット４ａに巻き付けられている。そして、他方のフランジ６２がこのスプロケット４ａの側面に取り付けられ、このフランジ６２の面がフランジ６１の面に接触している。
このように、この実施例の摩擦クラッチ６は、円形のフランジ６１，６２を面接触させることにより、スプロケット４ａ側の駆動モータ２０(図１参照)の動力を、フランジ６１，６２間の摩擦を用いて、給紙ローラ４の軸４０に伝達させる円板型の摩擦クラッチである。しかし、これに限定されるものではなく、円錐型、単板型、多板型、機械式、油圧式、電磁式等、すべての摩擦クラッチを適用することができることは勿論である。
【００２３】
回転検出部６５は、給紙ローラ４の回転状態を検出する装置である。
具体的には、円板６６を軸４０に取り付け、この円板６６の回転状態をセンサ６７で検出することで、給紙ローラ４が、回転しているか否かを検出することができるようになっている。この実施例では、反射マーク６６ａが円板６６に設けられ、光電センサとしてのセンサ６７により、この反射マーク６６ａを検出することで円板の回転を検出する光電式回転検出器を用いている。しかし、光電式回転検出器だけに限定されるものではなく、磁電式回転検出器等も、回転検出部として適用することができることは勿論である。
【００２４】
また、シュレッダには、図２に示すように、屑拡散装置７とシャッタ装置８とが装備されている。
図４は、屑拡散装置７とシャッタ装置８とを示す平面図である。
屑拡散装置７及びシャッタ装置８は、共に羽部７Ａを動かす装置であり、図２及び図４に示すように、屑拡散装置７が、筐体１００の正面から見て左側に配され、シャッタ装置８が、右側に配されている。
【００２５】
図１に示すように、開口Ｇ２が細断屑収納室３の天壁３０に設けられ、羽部７Ａがこの開口Ｇ２の下側に配され、この羽部７Ａが、筐体１００の両側板１０１，１０２で回動自在に支持された軸棒７０に固着されている。
屑拡散装置７は、羽部７Ａを揺動させて、開口Ｇ２の真上の細断部２から落下する細断屑を拡散させる装置である。図４に示すように、この屑拡散装置７は、開口Ｇ２の下側に水平且つ周方向に回動自在に配された軸棒７０に固着された羽部７Ａと、羽部７Ａを駆動するための往復スライダクランク機構７Ｂとで構成されている。
【００２６】
図５は、屑拡散装置７の構成と機能を説明するための概略図である。
図５の(ａ)に示すように、屑拡散装置７の軸棒７０が、開口Ｇ２の下側に水平に配置され、羽部７Ａがこの軸棒７０に固着されている。そして、羽部７Ａが固着された軸棒７０の端部(筐体１００の正面から見て左側端部)には、軸棒７０の径方向に突出する第１の突出部７１が取り付けられ、この第１の突出部７１が、往復スライダクランク機構７Ｂの作用を受けるようになっている。
往復スライダクランク機構７Ｂは、駆動モータ７２によって回動させられるクランク７３と、クランク７３に回動自在に連結されたリンク７６と、第１の突出部７１側を向く水平なレール７５に保持された状態で、リンク７６に連結されたスライダ７４とによって構成されている。
これにより、クランク７３が０°状態で、リンク７６が最も右側に引っ込んだ状態では、スライダ７４の先端７４ａは、第１の突出部７１にほとんど接触していない。しかし、図５の(ｂ)に示すように、クランク７３を９０°回転させると、スライダ７４が第１の突出部７１側に進んで、その先端７４ａによって、第１の突出部７１を図の左側に押し、第１の突出部７１が軸棒７０の周方向に例えば４５°だけ回転する。この結果、羽部７Ａが、開口Ｇ２側に向かって４５°だけ回転することとなる。そして、図５の(ｃ)に示すように、クランク７３を１８０°回転させると、スライダ７４がさらに進んで、その先端７４ａが第１の突出部７１を図の左側に押し、第１の突出部７１が軸棒７０の周方向に最大角度(例えば１８０°)だけ回転する。この結果、羽部７Ａが、開口Ｇ２側に最も近づくように回転することとなる。以後、クランク７３を２７０°回転させると、羽部７Ａは、図５の(ｃ)に示す角度から図５の(ｂ)に示す角度に戻り、３６０°回転させると、羽部７Ａは、図５の(ｂ)に示す角度から図５の(ａ)に示す角度に戻る。
つまり、往復スライダクランク機構７Ｂは、クランク７３を往復動させることで、羽部７Ａを開口Ｇ２の下側で揺動させる機能を有している。
【００２７】
一方、図４に示すシャッタ装置８は、細断屑収納室３の扉５の開閉に応じて、羽部７Ａを回動させ、この羽部７Ａで開口Ｇ２を遮蔽又は開放する装置である。
図６は、シャッタ装置８の構成と機能を説明するための概略図である。
図６の(ａ)に示すように、羽部７Ａが固着された軸棒７０の端部(筐体１００の正面から見て右側端部)に、軸棒７０の径方向に突出する第２の突出部８１が取り付けられている。この第２の突出部８１が、往復スライダクてこ機構８Ｂの作用を受けるようになっている。
往復スライダクてこ機構８Ｂは、第２の突出部８１側を向く水平なレール８３に保持されたスライダ８２と、スライダ８２と扉５とに連結され、扉５の開閉に応じて揺動するてこ８４とによって構成されている。
これにより、扉５が閉じた状態では、スライダ８２の先端８２ａは、第２の突出部８１にほとんど接触していない。しかし、図６の(ｂ)に示すように、扉５を開いていくと、スライダ８２が、第２の突出部８１側に進んで、第２の突出部８１を図の左側に押し、羽部７Ａが、軸棒７０の周方向に回転して、開口Ｇ２を遮蔽する方向に動く。そして、図６の(ｃ)に示すように、扉５を大きく開くと、スライダ８２がさらに進んで、第２の突出部８１を図の左側に押し、羽部７Ａが、開口Ｇ２を遮蔽するまで回転する。以後、扉５を閉じていくと、羽部７Ａは、図６の(ｃ)に示す遮蔽状態から図６の(ｂ)に示す状態に戻り、扉５を完全に閉じると、羽部７Ａは、図６の(ｂ)に示す角度から図６の(ａ)に示す状態に戻り、開口Ｇ２を開放する。
【００２８】
上記のような扉５を有する細断屑収納室３には、図１に示すように、屑箱９が配置されている。
図７は、屑箱９の構成と機能とを説明するための断面図である。
図７の(ａ)に示すように、この屑箱９は、箱本体９０と底板部９１とで構成されている。
箱本体９０は、上下に開口する四角柱状の箱体である。
底板部９１は、箱本体９０の下開口９０ｂを塞ぐ部材であり、箱本体９０の底部に着脱自在に取り付けられている。
具体的には、底板部９１は、箱本体９０の下開口９０ｂの下に敷かれた板本体９１ａと、両縁部の折曲部９１ｂ，９１ｃとで形成され、折曲部９１ｂ，９１ｃが、箱本体９０の下側部に貼り付けられた接着テープ９２によって取り剥がし自在に貼り付けられている。
これにより、図７の(ｂ)に示すように、底板部９１の折曲部９１ｂ，９１ｃを箱本体９０から剥がすことで、底板部９１を箱本体９０から取り外すことができるようになっている。
【００２９】
次に、この実施例のシュレッダが示す作用及び効果について説明する。
図８は、実施例のシュレッダが示す作用及び効果を説明するための概略断面図である。
まず、図８に示すように、例えば５００枚程度の用紙Ｐを、自動給紙装置１のトレイ１０に載置して、送出部１１の駆動モータ１１ａを駆動させると、カム１１ｂと搬送ローラ１１ｃとが回転し、例えば、５０枚程度の用紙Ｐが、給紙ローラ４側に送り出される。
すると、これらの用紙Ｐが、分離板１２と給紙ローラ４の間を通り、駆動モータ２０によって駆動されている給紙ローラ４により、給紙口Ｇ１に給紙される。そして、５０枚程度の用紙Ｐは、同じく駆動モータ２０によって駆動されている細断部２のカッタ２１，２２によって頭の方から細断されていく。そして、細断部２で細断された用紙Ｐの細断屑Ｐ１は、開口Ｇ２を通じて細断屑収納室３内の屑箱９内に落下される。このとき、ホッチキス等の金属が、多量の細断屑Ｐ１内に混じっていると、磁石２５がこれらの金属を吸着する。
【００３０】
ところで、図３に示したように、駆動モータ２０の動力はチェーン２４が巻き付けられたスプロケット４ａから摩擦クラッチ６を通じて給紙ローラ４に伝達される。
したがって、給紙ローラ４に大きな負荷がかからない限り、摩擦クラッチ６のフランジ６１，６２が面接触の摩擦力によって、駆動モータ２０の動力が軸４０に伝達され続けることになる。
しかし、決められた枚数以上の多数の用紙Ｐが、図８に示す送出部１１から分離板１２と給紙ローラ４との間に送られると、これらの用紙Ｐが給紙口Ｇ１と給紙ローラ４との間に詰まり、給紙ローラ４に大きな負荷がかかる場合がある。このように、図３に示したフランジ６１，６２間の摩擦力以上の負荷が、給紙ローラ４に加わると、駆動モータ２０で駆動されているフランジ６２だけが空回りし、駆動モータ２０の動力が給紙ローラ４に伝達しない。この結果、給紙口Ｇ１と給紙ローラ４との間に詰まった用紙Ｐはジャムを起こさず、ユーザが、詰まった用紙Ｐを給紙口Ｇ１と給紙ローラ４との間から容易に取り出すことができる。
【００３１】
上記のごとく、用紙Ｐが、給紙ローラ４によって給紙され続けている間、回転検出部６５が、給紙ローラ４の回転状態を検出し続ける。そして、上記のごとく、給紙ローラ４が停止すると、センサ６７が、円板６６の停止を検出し、駆動モータ２０の駆動を停止させる等の処理を行う。この結果、給紙ローラ４の停止と同時に、細断部２のカッタ２１，２２の回転動作が停止される。
【００３２】
図８に示すように、細断部２で細断された用紙Ｐの細断屑Ｐ１は、開口Ｇ２を通じて細断屑収納室３内の屑箱９内に落下される。このとき、細断屑Ｐ１をそのまま落下させると、二点鎖線Ｓ０で示すように、細断屑Ｐ１が山のような形で屑箱９内に蓄積される。
しかし、この実施例のシュレッダでは、図４及び図５に示した屑拡散装置７を有している。したがって、往復スライダクランク機構７Ｂの駆動モータ７２を駆動させることで、図８の矢印で示すように、羽部７Ａが、開口Ｇ２の下側で揺動する。この結果、開口Ｇ２から落下してきた多量の細断屑Ｐ１は、拡散され、実線Ｓ１で示すように、表面がほぼ平坦になるように屑箱９内に蓄積される。
そして、破線Ｓ２で示すように、屑箱９が細断屑Ｐ１でほぼ満杯になると、屑拡散装置７の羽部７Ａが、蓄積された細断屑Ｐ１の表面に当たって停止する。この停止状態を図示しないセンサ等で検出し、ランプを点灯させる等することで、屑箱９が細断屑Ｐ１で満杯になったことを、ユーザに知らせることができる。
【００３３】
満杯になった屑箱９を細断屑収納室３から取り出す場合には、扉５を開く。扉５を大きく開くと、図４及び図６で示したように、シャッタ装置８の往復スライダクてこ機構８Ｂによって、羽部７Ａが、細断屑収納室３の開口Ｇ２を遮蔽する。これにより、細断部２のカッタ２１，２２等に付いた細断屑Ｐ１を外部に散乱させることなく、屑箱９を細断屑収納室３の外部に取り出すことができる。
【００３４】
そして、細断屑Ｐ１が詰まった屑箱９内のビニール袋９５を、屑箱９の中から取り出すことができる。
図９は、細断屑Ｐ１を屑箱９から取り出す方法を説明するための断面図である。
図９の(ａ)に示すように、ビニール袋９５の上部を結び、結び目を掴んで引っ張り上げることで、細断屑Ｐ１が収納されたビニール袋９５を屑箱９から取り出すことができる筈である。
しかし、多量の細断屑Ｐ１が圧縮された状態で入っていると、ビニール袋９５の底部と屑箱９との隙間Ｖが密閉状態になっている。このため、ビニール袋９５を屑箱９から引き抜く際に抵抗を受け、引く抜くのに労力と手間を要する場合が多い。
このような場合には、図９の(ｂ)に示すように、底板部９１の折曲部９１ｂ，９１ｃを箱本体９０から剥がして、底板部９１を箱本体９０から取り外す。これにより、箱本体９０の下開口９０ｂが開いた状態になり、ビニール袋９５の底部と屑箱９との隙間Ｖが開放される。この結果、箱本体９０を押さえ、ビニール袋９５の結び目を掴んで、上開口９０ａ側から引く抜くことで、圧縮された多量の細断屑Ｐ１が収納されたビニール袋９５を箱本体９０から容易に取り出すことができる。
なお、底板部９１を箱本体９０から取り外した状態で、箱本体９０を上方に持ち上げて、箱本体９０をビニール袋９５から引き抜くようにしても、ビニール袋９５を容易に取り出せることは勿論である。  
【００３５】
この考案は、上記実施例に限定されるものではなく、考案の要旨の範囲内において種々の変形や変更が可能である。
例えば、上記実施例では、自動給紙装置１と細断部２と細断屑収納室３と摩擦クラッチ６と回転検出部６５との他に、屑拡散装置７とシャッタ装置８と特殊な屑箱９とを備えるシュレッダを例示したが、屑拡散装置７とシャッタ装置８と特殊な屑箱９とのいずれか又は全てを除いたシュレッダも、この考案の範囲に含まれる。
【符号の説明】
【００３６】
１…自動給紙装置、  ２…細断部、  ３…細断屑収納室、  ４…給紙ローラ、  ４ａ，２０ａ，２３…スプロケット、  ５…扉、  ６…摩擦クラッチ、  ７…屑拡散装置、  ７Ａ…羽部、  ７Ｂ…往復スライダクランク機構、  ８…シャッタ装置、  ８Ｂ…往復スライダてこ機構、  ９…屑箱、  １０…トレイ、  １１…送出部、  １１ａ，２０，駆動モータ、  １１ｂ…カム、  １１ｃ…搬送ローラ、  １１ｄ…ベルト、  １２…分離板、  ２１，２２…カッタ、  ２４…チェーン、  ２５…磁石、  ３０…天壁、  ４０…軸、  ６１，６２…フランジ、  ６５…回転検出部、  ６６…円板、  ６６ａ…反射マーク、  ６７…センサ、  ７０…軸棒、  ７１…第１の突出部、  ７３…クランク、  ７４，８２…スライダ、  ７４ａ，８２ａ…先端、  ７５，８３…レール、  ７６…リンク、  ８１…第２の突出部、  ８４…てこ、  ９０…箱本体、  ９０ａ…上開口、  ９０ｂ…下開口、  ９１…底板部、  ９１ａ…板本体、  ９１ｂ，９１ｃ…折曲部、  ９２…接着テープ、  ９５…ビニール袋、  １００…筐体、  Ｇ１…給紙口、  Ｇ２…開口。
【図１】
0003168778.tif 000003
【図２】
0003168778.tif 000004
【図３】
0003168778.tif 000005
【図４】
0003168778.tif 000006
【図５】
0003168778.tif 000007
【図６】
0003168778.tif 000008
【図７】
0003168778.tif 000009
【図８】
0003168778.tif 000010
【図９】
0003168778.tif 000011
【手続補正書】
【提出日】平成23年4月23日(2011.4.23)
【手続補正１】
【補正対象書類名】実用新案登録請求の範囲
【補正対象項目名】請求項５
【補正方法】変更
【補正の内容】
【請求項５】
請求項４に記載のシュレッダにおいて、
上記シャッタ装置は、上記羽部が固着された上記軸棒の径方向に突出する第２の突出部と、上記扉の開閉に応じて揺動するてこに連結したスライダによってこの第２の突出部を上記軸棒の周方向に往復動させる往復スライダてこ機構とで構成されている、
ことを特徴とするシュレッダ。
【手続補正２】
【補正対象書類名】明細書
【補正対象項目名】００１０
【補正方法】変更
【補正の内容】
【００１０】
請求項５の考案は、請求項４に記載のシュレッダにおいて、シャッタ装置は、羽部が固着された軸棒の径方向に突出する第２の突出部と、扉の開閉に応じて揺動するてこに連結したスライダによってこの第２の突出部を軸棒の周方向に往復動させる往復スライダてこ機構とで構成されている。
【手続補正３】
【補正対象書類名】明細書
【補正対象項目名】００２７
【補正方法】変更
【補正の内容】
【００２７】
一方、図４に示すシャッタ装置８は、細断屑収納室３の扉５の開閉に応じて、羽部７Ａを回動させ、この羽部７Ａで開口Ｇ２を遮蔽又は開放する装置である。
図６は、シャッタ装置８の構成と機能を説明するための概略図である。
図６の(ａ)に示すように、羽部７Ａが固着された軸棒７０の端部(筐体１００の正面から見て右側端部)に、軸棒７０の径方向に突出する第２の突出部８１が取り付けられている。この第２の突出部８１が、往復スライダてこ機構８Ｂの作用を受けるようになっている。
往復スライダてこ機構８Ｂは、第２の突出部８１側を向く水平なレール８３に保持されたスライダ８２と、スライダ８２と扉５とに連結され、扉５の開閉に応じて揺動するてこ８４とによって構成されている。
これにより、扉５が閉じた状態では、スライダ８２の先端８２ａは、第２の突出部８１にほとんど接触していない。しかし、図６の(ｂ)に示すように、扉５を開いていくと、スライダ８２が、第２の突出部８１側に進んで、第２の突出部８１を図の左側に押し、羽部７Ａが、軸棒７０の周方向に回転して、開口Ｇ２を遮蔽する方向に動く。そして、図６の(ｃ)に示すように、扉５を大きく開くと、スライダ８２がさらに進んで、第２の突出部８１を図の左側に押し、羽部７Ａが、開口Ｇ２を遮蔽するまで回転する。以後、扉５を閉じていくと、羽部７Ａは、図６の(ｃ)に示す遮蔽状態から図６の(ｂ)に示す状態に戻り、扉５を完全に閉じると、羽部７Ａは、図６の(ｂ)に示す角度から図６の(ａ)に示す状態に戻り、開口Ｇ２を開放する。
【手続補正４】
【補正対象書類名】明細書
【補正対象項目名】００３３
【補正方法】変更
【補正の内容】
【００３３】
満杯になった屑箱９を細断屑収納室３から取り出す場合には、扉５を開く。扉５を大きく開くと、図４及び図６で示したように、シャッタ装置８の往復スライダてこ機構８Ｂによって、羽部７Ａが、細断屑収納室３の開口Ｇ２を遮蔽する。これにより、細断部２のカッタ２１，２２等に付いた細断屑Ｐ１を外部に散乱させることなく、屑箱９を細断屑収納室３の外部に取り出すことができる。